(57)【要約】【課題】トピックを重複なく網羅的に再生することを容易にする。【解決手段】コンテンツ蓄積部１０５から抽出された各コンテンツに含まれているトピックの再生順を決定するコンテンツ選択部１０７は、トピック重複判定部１０８によって内容が重複していると判定されたトピックのなかから、予め設定した選択基準によって一つのトピックを選択し、選択したトピックを加えた再生順を決定する。【選択図】図１
2014017677.tif 000002
【特許請求の範囲】
【請求項１】
トピック単位に分割され、各トピックの内容を識別するためのトピック識別情報が付与されたコンテンツを複数蓄積したコンテンツ蓄積部から、任意の抽出基準によりコンテンツを複数抽出するコンテンツ抽出部と、
上記コンテンツ抽出部によって抽出された各コンテンツに含まれているトピックから再生すべきトピックの再生順を決定するトピック再生順決定部と、
上記コンテンツ抽出部によって抽出された各コンテンツに含まれているトピックのトピック識別情報から、各トピックの内容が重複しているか否かを判定するトピック重複判定部とを備え、
上記トピック再生順決定部は、
上記トピック重複判定部によって内容が重複していると判定されたトピックのなかから、予め設定した選択基準によって一つのトピックを選択し、選択したトピックを加えたトピックの再生順を決定することを特徴するコンテンツ管理装置。
【請求項２】
上記トピック再生順決定部は、
以前に再生したトピックを記憶しておき、
上記トピック重複判定部によって内容が重複していると判定されたトピックのなかから、予め設定した選択基準によって一つのトピックを選択し、選択したトピックが、以前に再生したトピックに含まれているとき、当該トピックを加えずにトピックの再生順を決定することを特徴とする請求項１に記載のコンテンツ管理装置。
【請求項３】
上記トピック再生順決定部は、
以前に再生したトピックを記憶しておき、
上記トピック重複判定部によって内容が重複していると判定されたトピックのなかから、予め設定した選択基準によって一つのトピックを選択し、選択したトピックが、以前に再生したトピックに含まれているとき、当該トピックの内容が前回再生した時点のトピックの内容から更新されていれば、当該トピックを加え、内容が更新されていなければ、当該トピックを加えずにトピックの再生順を決定することを特徴とする請求項１または２に記載のコンテンツ管理装置。
【請求項４】
上記トピック再生順決定部は、
以前に再生したトピックを記憶しておき、
上記トピック重複判定部によって内容が重複していると判定されたトピックのなかから、予め設定した選択基準によって一つのトピックを選択し、選択したトピックが、以前に再生したトピックに含まれているとき、当該トピックの内容が前回再生した時点のトピックの内容から更新されていれば、さらに、視聴無効設定がされていないかを確認し、視聴無効設定がされていなければ、当該トピックを加え、視聴無効設定がされていれば、当該トピックを加えずにトピックの再生順を決定することを特徴とする請求項１〜３の何れか１項に記載のコンテンツ管理装置。
【請求項５】
上記トピック重複判定部は、
上記コンテンツ抽出部によって抽出された各コンテンツに含まれているトピックのトピック識別情報から、各トピックの内容が重複しているか否かを判定するときの判定基準を、外部入力に応じて変更することを特徴とする請求項１〜４の何れか１項に記載のコンテンツ管理装置。
【請求項６】
上記トピック識別情報は、「いつ」、「どこで」、「何が」、「何を」、「どうした」
の５つの項目を示す情報を含み、
上記トピック重複判定部は、
上記５つの項目を示す情報のうち、少なくとも１つの項目を示す情報によって、トピックの重複を判定していることを特徴とする請求項１〜５の何れか１項に記載のコンテンツ管理装置。
【請求項７】
請求項１〜６の何れか１項に記載のコンテンツ管理装置を備えた電子機器。
【請求項８】
請求項１〜６の何れか１項に記載のコンテンツ管理装置によって決定されたトピックの再生順で、トピックを再生するコンテンツ再生装置。
【請求項９】
トピック単位に分割され、各トピックの内容を識別するためのトピック識別情報が付与されたコンテンツを複数蓄積したコンテンツ蓄積部から、任意の抽出基準によりコンテンツを複数抽出するコンテンツ抽出手順と、
上記コンテンツ抽出手順において抽出された各コンテンツに含まれているトピックから再生すべきトピックの再生順を決定するトピック再生順決定手順と、
上記コンテンツ抽出手順において抽出された各コンテンツに含まれているトピックのトピック識別情報から、各トピックの内容が重複しているか否かを判定するトピック重複判定手順とを含み、
上記トピック再生順決定手順は、
上記トピック重複判定手順において内容が重複していると判定されたトピックのなかから、予め設定した選択基準によって一つのトピックを選択し、選択したトピックを加えたトピックの再生順を決定することを特徴するコンテンツ管理方法。
【請求項１０】
コンピュータに、請求項９に記載のコンテンツ管理方法の各手順を実行させるコンテンツ管理制御プログラム。
【請求項１１】
請求項１０に記載のコンテンツ管理制御プログラムを記録したコンピュータ読み取り可能な記録媒体。
【発明の詳細な説明】
【技術分野】
【０００１】
本発明は、蓄積された複数のコンテンツの中から、ユーザが所望するコンテンツを抽出し、抽出したコンテンツに含まれているトピックから再生すべきトピックの再生順を決定するコンテンツ管理装置に関する。
【背景技術】
【０００２】
放送番組の全チャネルを数日分丸ごと録画しておき、その録画コンテンツの中からユーザが視聴したい番組を探し出して視聴する商品が発売されている。例えば特許文献１に開示されたデジタル記録再生装置が相当する。
【０００３】
通常、録画した放送番組を視聴する場合、録画された放送番組の一覧を表示し、ユーザが所望する放送番組を選択する。
【０００４】
ところが、上記のように、放送番組の全チャネルを数日分丸ごと録画した場合、録画番組数が膨大になるので、録画された放送番組の一覧表から、ユーザが所望する放送番組を選択するには時間を要し、効率が悪い。
【０００５】
そこで、特許文献１では、業者が放送番組を見て番組や番組内のコーナー単位に情報を付与し、ユーザが入力したキーワードを元に、録画した番組の中からキーワードに該当する番組やコーナーを提示することで、ユーザが所望する放送番組を選択するまでの時間を短縮する技術が開示されている。
【０００６】
また、特許文献１以外にも、動画投稿サイトやＶＯＤ（ビデオ・オン・デマンド）サービスなどにおいても、ユーザの視聴／検索履歴やユーザが選択したジャンルや入力したキーワードなどから所望のコンテンツを絞り込む機能が搭載され、ユーザが所望する放送番組を選択するまでの時間を短縮するようにしている。
【先行技術文献】
【特許文献】
【０００７】
【特許文献１】ＷＯ２００６/０３５８５０号公報（２００６年４月６日国際公開）
【発明の概要】
【発明が解決しようとする課題】
【０００８】
ところで、特許文献１等に開示されている、ユーザが入力したキーワードや、ユーザの視聴／検索履歴等から、ユーザが所望する放送番組（以下、コンテンツと称する）を絞り込む機能では、複数のコンテンツが再生プレイリストとしてリストアップされる。
【０００９】
しかしながら、再生プレイリストにリストアップされたコンテンツの中には、同じ内容のコンテンツが重複して含まれている場合がある。例えば、再放送と本放送、中身が同じニュース、お笑い芸人の同じネタで違う番組が別個にリストアップされてしまう。
【００１０】
例えば、コーナーをキーワード検索した結果、図２０（ａ）に示すように、内容が同じコンテンツが重複してリスト表示（リストアップ）される。また、ジャンルとしてドラマをキーワード検索した結果、図２０（ｂ）に示すように、再放送と本放送が重複してリスト表示されることになる。
【００１１】
このため、ユーザがコンテンツを選択する際に、冗長となるという問題が生じる。
【００１２】
また、ある分野に関するトピックを重複することなく網羅的に連続再生しようとした場合、１つのコンテンツの再生が終わるとユーザが次のコンテンツを探す必要があり、さらにトピックが重複しているコンテンツもリスト表示されるため、ユーザが自分で未視聴のトピックを探し出す必要がある。
【００１３】
例えば、放送番組として、３チャネル分のニュース番組（コンテンツ）が再生プレイリストにリストアップされている場合、各チャンネルのニュース番組からある分野（政治ニュース）の話題（トピック）を重複することなく視聴するためには、図２０（ｃ）に示すように、トピックＡ〜Ｅまでをユーザ自身が再生プレイリストから探し出して視聴するしかない。
【００１４】
従って、ある分野のトピックを重複なく網羅的に再生することは、ユーザにとって、非常に手間がかかる処理となる。
【００１５】
本発明は、上記の問題点に鑑みなされたものであり、その目的は、蓄積された複数のコンテンツから所望するコンテンツを抽出する場合に、コンテンツに含まれるトピックを重複させることなくリストアップしたトピックの再生順の情報を作成することで、ある分野のトピックを重複なく網羅的に再生することを容易にしたコンテンツ管理装置を提供することにある。
【課題を解決するための手段】
【００１６】
本発明のコンテンツ管理装置は、上記の課題を解決するために、
トピック単位に分割され、各トピックの内容を識別するためのトピック識別情報が付与されたコンテンツを複数蓄積したコンテンツ蓄積部から、任意の抽出基準によりコンテンツを複数抽出するコンテンツ抽出部と、
上記コンテンツ抽出部によって抽出された各コンテンツに含まれているトピックから再生すべきトピックの再生順を決定するトピック再生順決定部と、
上記コンテンツ抽出部によって抽出された各コンテンツに含まれているトピックのトピック識別情報から、各トピックの内容が重複しているか否かを判定するトピック重複判定部とを備え、
上記トピック再生順決定部は、
上記トピック重複判定部によって内容が重複していると判定されたトピックのなかから、予め設定した選択基準によって一つのトピックを選択し、選択したトピックを加えたトピックの再生順を決定することを特徴している。
【００１７】
上記の構成によれば、コンテンツ蓄積部から、任意の抽出基準によってコンテンツを複数抽出し、抽出したコンテンツに含まれるトピックから再生すべきトピックの再生順を決定する際に、内容が重複していると判定されたトピックのなかから、予め設定した選択基準によって一つのトピックが選択され、選択されたトピックを加えたトピックの再生順を決定することで、トピックの内容が重複しないトピックの再生順とすることができる。
【００１８】
このように決定されたトピックの再生順には、内容が同じトピックが重複して含まれていないので、ある分野に関するトピックを重複することなく網羅的に連続再生することを可能にする。
【００１９】
従って、従来のように、ある分野に関するトピックを重複することなく網羅的に連続再生する際に、１つのコンテンツの再生が終わると、ユーザが次のコンテンツを探す必要はなく、また、トピックが重複しているコンテンツがリスト表示されることにより、ユーザが未視聴のトピックを探し出す必要もなくなるので、非常に効率よく、ユーザが所望するコンテンツを視聴することができるという効果を奏する。
【００２０】
上記トピック再生順決定部は、
以前に再生したトピックを記憶しておき、
上記トピック重複判定部によって内容が重複していると判定されたトピックのなかから、予め設定した選択基準によって一つのトピックを選択し、選択したトピックが、以前に再生したトピックに含まれているとき、当該トピックを加えずにトピックの再生順を決定するのが好ましい。
【００２１】
ここで、以前に再生したトピックに、今回、再生順に含めるトピックが存在している場合、このトピックは視聴された可能性が高いため、今回決定するトピックの再生順に含めないことが好ましい。
【００２２】
従って、上記構成のように、以前に再生したトピックを記憶しておき、内容が重複していると判定されたトピックのなかから、予め設定した選択基準によって一つのトピックを選択し、選択したトピックが、以前に再生したトピックに含まれているとき、当該トピックを加えずにトピック再生順を決定することで、視聴済みのトピックを含まない、すなわち未視聴のトピックのみからなる再生順にすることができる。
【００２３】
これにより、ユーザは、視聴済みのトピックを見ることなく、未視聴のトピックのみを視聴することができるので、トピックの無駄な視聴を無くすことができ、効率よくトピックを視聴することができる。
【００２４】
上記トピック再生順決定部は、
以前に再生したトピックを記憶しておき、
上記トピック重複判定部によって内容が重複していると判定されたトピックのなかから、予め設定した選択基準によって一つのトピックを選択し、選択したトピックが、以前に再生したトピックに含まれているとき、当該トピックの内容が前回再生した時点のトピックの内容から更新されていれば、当該トピックを加え、内容が更新されていなければ、当該トピックを加えずにトピックの再生順を決定するのが好ましい。
【００２５】
ここで、以前に再生したトピックに、今回、再生順に含めるトピックが存在している場合であっても、トピックの内容が更新されている場合があり、このような場合に、再生順に含めないのは、ユーザにとって不利益となる。
【００２６】
従って、上記構成のように、内容が重複していると判定されたトピックのなかから、予め設定した選択基準によって一つのトピックを選択し、選択したトピックが、以前に再生したトピックに含まれているとき、当該トピックの内容が更新されていれば、当該トピックを加え、内容が更新されていなければ、当該トピックを加えずに再生順を決定することで、未視聴のトピックのみならず、視聴済みであっても内容が更新されたトピックからなる再生順にすることができる。
【００２７】
これにより、ユーザは、視聴済みであっても内容が更新されたトピックを見落とすことがないので、ユーザにとって有益である。
【００２８】
しかも、更新されていないトピックが再生されないので、トピックの無駄な視聴を無くすことができ、効率よくトピックを視聴することができる。
【００２９】
上記トピック再生順決定部は、
以前に再生したトピックを記憶しておき、
上記トピック重複判定部によって内容が重複していると判定されたトピックのなかから、予め設定した選択基準によって一つのトピックを選択し、選択したトピックが、以前に再生したトピックに含まれているとき、当該トピックの内容が前回再生した時点のトピックの内容から更新されていれば、さらに、視聴無効設定がされていないかを確認し、視聴無効設定がされていなければ、当該トピックを加え、視聴無効設定がされていれば、当該トピックを加えずに再生順を決定するのが好ましい。
【００３０】
ここで、以前に再生したトピックに、今回、再生順に含めるトピックが存在している場合であって、トピックの内容が更新されている場合であっても、更新前のトピックをユーザが視聴して興味がないと判断した場合に、当該トピックに視聴無効設定を行い、視聴無効設定されたトピックが更新されても、ユーザは視聴しなくて済むようにするのが好ましい。
【００３１】
従って、上記構成のように、内容が重複していると判定されたトピックのなかから、予め設定した選択基準によって一つのトピックを選択し、選択したトピックが、以前に再生したトピックに含まれているとき、当該トピックの内容が更新されていれば、さらに、視聴無効設定がされていないかを確認し、視聴無効設定がされていなければ、当該トピックを加え、視聴無効設定がされていれば、当該トピックを加えずに再生順を決定することで、未視聴のトピックのみならず、視聴済みであっても内容が更新されたトピックのうち、ユーザが視聴を希望するトピックからなる再生順にすることができる。
【００３２】
これにより、ユーザは、視聴済みで内容が更新されたトピックであっても、ユーザの興味の無いトピックを視聴しないようにできるので、ユーザにとって有益である。
【００３３】
上記トピック重複判定部は、
上記コンテンツ抽出部によって抽出された各コンテンツに含まれているトピックのトピック識別情報から、各トピックの内容が重複しているか否かを判定するときの判定基準を、外部入力に応じて変更することが好ましい。
【００３４】
ここで、トピックの重複の判定基準を上げ下げすれば、同じトピック同士であっても重複していると判定される場合と、重複していないと判定される場合とがある。つまり、判定基準を上げることで、重複判定が厳しくなり、判定基準を下げると、重複判定が甘くなる。
【００３５】
従って、各コンテンツに含まれているトピックのトピック識別情報から、各トピックの内容が重複しているか否かを判定するときの判定基準を、外部入力に応じて変更することで、重複判定が厳しくなったり、甘くなったりして、同じトピック群から再生するトピックを決定した場合のトピック数に大きな隔たりがある。つまり、外部から判定基準を上げるような指示があった場合には、重複判定が厳しくなるので、トピック群から再生するトピックを決定した場合のトピック数が多くなり、外部から判定基準を下げるように指示があった場合には、重複判定が甘くなるので、トピック群から再生するトピックを決定した場合のトピック数が少なくなる。
【００３６】
このように、外部入力により、重複判定の判定基準を変更することが可能であれば、ユーザは、好みに応じて連続再生することができる。
【００３７】
上記トピック識別情報は、「いつ」、「どこで」、「何が」、「何を」、「どうした」
の５つの項目を示す情報を含み、
上記トピック重複判定部は、
上記５つの項目を示す情報のうち、少なくとも１つの項目を示す情報によって、トピックの重複を判定していることが好ましい。
【００３８】
上記のように、トピック識別情報として、「いつ」、「どこで」、「何が」、「何を」、「どうした」の５つの項目を示す情報を含み、これら５つの項目を示す情報のうち、少なくとも１つの項目を示す情報によって、トピックの重複を判定しているので、トピック識別情報に含まれる項目を増やすことで、重複判定を厳しくすることができる。
【００３９】
また、トピックのジャンル（例えば政治ニュース、社会ニュース、気象情報、お笑い番組、ドラマ等）によって、重複判定に用いる項目数も変わる。従って、上記項目は、トピックのジャンルに応じて変更するようにしてもよい。
【発明の効果】
【００４０】
本発明は、トピック単位に分割され、各トピックの内容を識別するためのトピック識別情報が付与されたコンテンツを複数蓄積したコンテンツ蓄積部から、任意の抽出基準によりコンテンツを複数抽出するコンテンツ抽出部と、上記コンテンツ抽出部によって抽出された各コンテンツに含まれているトピックから再生すべきトピックの再生順を決定するトピック再生順決定部と、上記コンテンツ抽出部によって抽出された各コンテンツに含まれているトピックのトピック識別情報から、各トピックの内容が重複しているか否かを判定するトピック重複判定部とを備え、上記トピック再生順決定部は、上記トピック重複判定部によって内容が重複していると判定されたトピックのなかから、予め設定した選択基準によって一つのトピックを選択し、選択したトピックを加えたトピックの再生順を決定することで、従来のように、ある分野に関するトピックを重複することなく網羅的に連続再生する際に、１つのコンテンツの再生が終わると、ユーザが次のコンテンツを探す必要はなく、また、トピックが重複しているコンテンツがリスト表示されることにより、ユーザが未視聴のトピックを探し出す必要もなくなるので、非常に効率よく、ユーザが所望するコンテンツを視聴することができるという効果を奏する。
【図面の簡単な説明】
【００４１】
【図１】本発明のコンテンツ管理装置の概略構成ブロック図である。
【図２】（ａ）〜（ｅ）は、ジャンル毎のテンプレートの例を示している。
【図３】（ａ）〜（ｃ）は、各Ｃｈにおけるニュース番組をカテゴリ別のコンテンツ一覧を示す図である。
【図４】連続再生順にトピックを並べたトピック再生順の情報である。
【図５】コンテンツ蓄積処理の流れを示すフローチャートである。
【図６】コンテンツ再生処理の流れを示すフローチャートである。
【図７】コンテンツ再生処理の流れを示すフローチャートである。
【図８】（ａ）は、昨晩（前回）までに視聴した政治ニュースのトピックの一覧を示す図であり、（ｂ）は、昨晩（前回）〜今朝（今回）の間に放送された各Ｃｈのトピックの一覧を示す図である。
【図９】図８（ｂ）に示す政治ニュースのなかから抽出した今朝（今回）再生するトピックの一覧を示す図である。
【図１０】コンテンツ再生処理の流れを示すフローチャートである。
【図１１】コンテンツ再生処理の流れを示すフローチャートである。
【図１２】（ａ）は、午前１１時のニュース（番組１）の各トピックの情報（識別情報を含む）の一覧を示す図であり、（ｂ）は、午後７時のニュース（番組２）の各トピックの情報の一覧を示す図である。
【図１３】コンテンツ再生処理の流れを示すフローチャートである。
【図１４】コンテンツ再生処理の流れを示すフローチャートである。
【図１５】（ａ）は、午前１１時のニュース（番組１）の各トピックの情報（識別情報を含む）の一覧を示す図であり、（ｂ）は、午後７時のニュース（番組２）の各トピックの情報の一覧を示す図である。
【図１６】コンテンツ再生処理の流れを示すフローチャートである。
【図１７】コンテンツ再生処理の流れを示すフローチャートである。
【図１８】（ａ）〜（ｃ）は、映像ソースが異なる落語コンテンツのトピックを示す図である。
【図１９】本発明の他のコンテンツ管理装置の概略構成ブロック図である。
【図２０】（ａ）（ｂ）は、従来のコンテンツ絞込み機能を用いた結果の一覧を示す図であり、（ｃ）は、抽出したコンテンツの一覧を示す図である。
【発明を実施するための形態】
【００４２】
〔実施の形態１〕
本発明の一実施の形態について説明すれば、以下の通りである。
【００４３】
（コンテンツ管理装置の概要）・・・・図１
図１は、本実施の形態に係るコンテンツ管理装置１の概略構成ブロック図である。
【００４４】
上記コンテンツ管理装置１は、図１に示すように、コンテンツ入力部１０１、トピック識別情報入力部１０２、コンテンツ蓄積部１０５、コンテンツ選択方法決定部１０６、コンテンツ選択部１０７、トピック重複判定部１０８を含んでいる。
【００４５】
上記コンテンツ入力部１０１は、入力コンテンツを受け付け、上記コンテンツ蓄積部１０５に送る。ここで、入力コンテンツは、放送番組、動画投稿サイトの動画等である。
【００４６】
上記トピック識別情報入力部１０２は、コンテンツ管理装置外部で生成されたトピック識別情報を受け付け、上記コンテンツ蓄積部１０５に送る。ここで、上記トピック識別情報は、コンテンツに含まれるトピック内容を識別するための情報であり、例えばコンテンツ管理装置販売業者がコンテンツをトピック単位で分割して、それぞれのトピックのジャンルなどを考慮して入力した情報であり、コンテンツ管理装置が通信路等から取得する事を想定している。
【００４７】
なお、上記トピック識別情報の作成方法の詳細については後述する。
【００４８】
上記コンテンツ蓄積部１０５は、上記コンテンツ入力部１０１から送られたコンテンツと、上記トピック識別情報入力部１０２から送られたトピック識別情報とを対応付けて蓄積している。つまり、上記コンテンツ蓄積部１０５は、トピック単位に分割され、各トピック内容を識別するためのトピック識別情報が付与されたコンテンツを複数蓄積している。
【００４９】
上記コンテンツ選択方法決定部１０６は、ユーザ指示を受け付けて、上記コンテンツ蓄積部１０５に蓄積されているコンテンツを選択するためのコンテンツ選択方法を決定する。ここで、コンテンツ選択方法は、コンテンツを選択するための選択基準を示しており、ユーザの視聴／検索履歴を考慮してコンテンツを選択する方法や、ユーザが選択したジャンルや入力したキーワードからコンテンツを選択する方法などがある。つまり、ユーザは、どのコンテンツ選択方法を用いてコンテンツを選択するかを指示することで、上記コンテンツ選択方法決定部１０６がコンテンツ選択方法を決定し、このコンテンツ選択方法を、後段のコンテンツ選択部１０７に伝える。
【００５０】
上記コンテンツ選択部１０７は、上記コンテンツ蓄積部１０５に蓄積されたコンテンツを、上記コンテンツ選択方法決定部１０６で決定されたコンテンツ選択方法によって選択する。つまり、コンテンツ選択部１０７は、上記コンテンツ蓄積部１０５に蓄積されているコンテンツの中から、ユーザが指定する選択基準に合致するコンテンツを抽出するようになっている。
【００５１】
つまり、上記コンテンツ選択部１０７は、トピック単位に分割され、各トピックの内容を識別するためのトピック識別情報が付与されたコンテンツを複数蓄積したコンテンツ蓄積部１０５から、任意の抽出基準によりコンテンツを複数抽出するコンテンツ抽出部として機能している。
【００５２】
なお、上記コンテンツ選択部１０７は、後段のトピック重複判定部１０８による判定結果に応じて、出力するコンテンツを選択する。
【００５３】
つまり、上記トピック重複判定部１０８は、上記コンテンツ選択部１０７によって抽出された各コンテンツに対応付けられたトピック識別情報から、各コンテンツに含まれているトピック同士の内容が重複しているか否かを判定し、この判定結果をコンテンツ選択部１０７に送る。
【００５４】
上記コンテンツ選択部１０７は、コンテンツ蓄積部１０５から抽出した各コンテンツから、上記トピック重複判定部１０８によって重複していると判定されたトピックの一つを残し、残りを削除したコンテンツを、所定の基準でトピックの再生する順番を決めて、トピック再生順情報もしくは再生プレイリスト（再生コンテンツあるいはコンテンツリスト）として出力する。このトピック再生順情報は、例えばコンテンツ再生装置（図示しない）に出力される。コンテンツ再生装置は、入力されたトピック再生順情報に基づいて、トピックを順番に再生する。
【００５５】
つまり、上記コンテンツ選択部１０７は、上記トピック重複判定部１０８によって内容が重複していると判定されたトピックのなかから、予め設定した選択基準によって一つのトピックを選択し、選択したトピックを加えたトピック再生順を決定し、その情報を出力するトピック再生順決定部として機能している。
【００５６】
（トピック識別情報作成方法）・・・・・図２
ここで、上記トピック識別情報作成の作り方について以下に説明する。
【００５７】
まず、番組/動画コンテンツをトピック単位に分割する。
【００５８】
次に、分割したトピックに適切なジャンルを選択する。
【００５９】
そして、ジャンル毎に用意されたテンプレートを用いて、各トピックを識別するためのトピック識別情報を作成する。
【００６０】
図２（ａ）〜図２（ｅ）は、ジャンル毎のテンプレートの例を示している。
【００６１】
すなわち、図２（ａ）は、トピックが政治ニュースの場合のテンプレートを示している。政治ニュースの場合、ニュース対象の人物・団体名、ニュース事象の発生場所、ニュース事象の発生日時を、トピックを特定するための項目としている。この３つの項目から、「誰が」「いつ」「どこで」発生した事象に対してのニュースであるかを管理することができるので、トピックの識別を可能としている。
【００６２】
図２（ｂ）は、トピックが社会ニュースの場合のテンプレートを示している。社会ニュースの場合、分類（自動車事故、殺人事件etc）、発生日時、発生場所を、トピックを特定するための項目としている。この３つの項目から、「何に関する」「いつ」「どこで」発生した事象に対してのニュースであるかを管理することができるので、トピックの識別を可能としている。この場合、「誰が」をトピック識別のための項目とする必要はない。これによって、犯人が分からない事件などのニュースの特定も可能となる。
【００６３】
図２（ｃ）は、トピックが気象情報の場合のテンプレートを示している。気象情報の場合、情報発信者（ex.気象庁）、気象情報対象（ex.台風ｘｘ号）、情報発信日時を、トピックを特定するための項目としている。この３つの項目から、台風ｘｘ号や地震情報の最新情報のトピックを識別可能としている。
【００６４】
図２（ｄ）は、トピックがお笑い番組の場合のテンプレートを示している。お笑い番組の場合、お笑いのネタを披露した人・団体名、お笑いネタの名称を、トピックを特定するための項目としている。この２つの項目、「お笑いのネタを披露した人・団体名」、「お笑いネタの名称」を管理することにおり、お笑い芸人が違う番組で同じネタを披露しても、同じ内容のコンテンツと判断することを可能としている。
【００６５】
図２（ｅ）は、トピックがドラマの場合のテンプレートを示している。ドラマの場合、ドラマの名称、ドラマを制作した局を、トピックを特定するための項目としている。この２つの項目、「ドラマの名称」、「制作局」をトピックの識別情報として管理することにより、再放送と本放送が同じ記録媒体に記録してあっても、同じ内容のコンテンツと判断することを可能としている。
【００６６】
なお、本実施の形態では、コンテンツのトピック分割、ジャンル選択、トピック識別情報付与については、コンテンツを視聴した人物（例えば、コンテンツ管理装置を販売あるいは管理している業者）が手動で装置の外部で行うようにしている。ただし装置の外部で作成されればよく、ユーザが情報生成を行ってもよいし、業者が自動で情報生成を行ってもよい。
【００６７】
また、後述する他の実施の形態では、コンテンツのトピック分割、ジャンル選択、トピック識別情報付与を装置が自動的に行う例にについて説明している。
【００６８】
（重複無し網羅的視聴の概要）・・・・図３、図４
上記構成のコンテンツ管理装置１では、上述のように、コンテンツ選択部１０７が、コンテンツ蓄積部１０５から抽出した各コンテンツから、上記トピック重複判定部１０８によって重複していると判定されたトピックの一つを残し、残りを削除したコンテンツを、再生コンテンツあるいはコンテンツリストとして出力している。
【００６９】
つまり、再生コンテンツあるいはコンテンツリストには、重複するトピックが存在しないので、コンテンツを網羅的に連続して再生することができる。
【００７０】
例えば、上記構成のコンテンツ管理装置１を、放送波の全チャネルを数日分丸ごと録画しておき、その録画コンテンツの中からユーザが視聴したい番組を探し出して視聴する装置に搭載した場合を考える。
【００７１】
ユーザ指示により、コンテンツ選択方法決定部１０６が、ある分野の「重複なしの網羅的視聴モード」がコンテンツ選択方法として決定した場合、コンテンツ選択部１０７は、その分野に属するトピックをコンテンツ蓄積部１０５から全て取得し、トピック重複判定部１０８に対して、各トピックのトピック識別情報を送り、重複しているトピックが存在しているか否かを判定させ、重複したトピックが存在している場合に、所定の法則に従って１つのトピックを選択し、重複していないトピックと合わせて連続再生を行うように、トピック再生順情報を出力する。
【００７２】
具体的に説明すると、以下のようになる。
【００７３】
図３（ａ）〜図３（ｃ）は、コンテンツ蓄積部１０５に蓄積された、各Ｃｈにおけるニュース番組をカテゴリ別のコンテンツ一覧を示している。
【００７４】
図４は、図３（ａ）〜図３（ｃ）に示したコンテンツ一覧から、政治ニュースのトピックを重複しないで抽出し、連続再生順にトピックを並べた再生コンテンツを示す。
【００７５】
図３（ａ）に示すＣｈ１のニュース番組における政治ニュースは、トピックＡ、Ｂ、Ｃからなり、図３（ｂ）に示すＣｈ２のニュース番組における政治ニュースは、トピックＡ、Ｂ、Ｄからなり、図３（ｃ）に示すＣｈ３のニュース番組における政治ニュースは、トピックＡ、Ｂ、Ｅからなり、Ｃｈ１〜Ｃｈ３において、トピックＡ、Ｂが重複していることがわかる。そして、図４に示す再生コンテンツでは、Ｃｈ１のトピックＡ，Ｃｈ１のトピックＢ、Ｃｈ１のトピックＣ，Ｃｈ２のトピックＤ、Ｃｈ３のトピックＥが含まれており、トピックＡ、Ｂ、Ｃ、Ｄ、Ｅの順に連続再生するようになっている。
【００７６】
すなわち、上記コンテンツ管理装置１において、まず、ユーザが政治ニュースの「重複なし網羅的視聴モード」をコンテンツ選択方法として選択した場合、図３（ａ）〜（ｃ）に示す各放送チャンネルのニュースコンテンツから、政治ニュースを抽出（トピックを全て抽出）し、抽出した全てのトピックに対してトピック識別情報から、重複しているトピックが判定され、図４に示す重複なしの政治ニューストピックＡ〜Ｅからなる再生コンテンツを出力する。
【００７７】
このようにして、ユーザが希望する政治ニュースの網羅的視聴を可能にしている。
【００７８】
ここで、重複しているトピックの中から１つのコンテンツを選択する方法としては、「放送時間の１番新しい物」「再生時間が一番長い物」「好みのＣｈ（ex.ある分野に関する視聴を最も多く行うＣｈ）で放送した物」などを選択基準として選択する方法がある。
【００７９】
また、トピックを連続再生する順番は、「重複した数が多い順」「放送時間の新しい順」「再生時間が長い順」「好みのｃｈ／番組順」などにより決定する。
【００８０】
上記構成のコンテンツ管理装置１において、上述のように、トピックの重複なしの網羅的視聴を可能にしているのは、コンテンツを蓄積する際に、トピック単位で内容を管理できるように、トピック識別情報をコンテンツに付与したこと、そして、再生コンテンツを出力する際に、コンテンツに付与されたトピック識別情報を用いてトピックの重複を判定しているからである。
【００８１】
以下に、本実施の形態に係る、コンテンツ蓄積処理、コンテンツ再生処理について説明する。
【００８２】
（コンテンツ蓄積処理）・・・・・・・図５
図５は、コンテンツ蓄積処理の流れを示すフローチャートである。
【００８３】
まず、コンテンツを入力する（ステップＳ１０１）。ここでは、入力されたコンテンツは、コンテンツ蓄積部１０５に直接蓄積される一方、次ステップ以降において、トピック識別情報を付与する処理に使用される。
【００８４】
次に、入力されたコンテンツをトピック単位に分割する（ステップＳ１０２）。ここで、コンテンツをトピック単位に分割した例を、例えば図３（ａ）〜図３（ｃ）に示す。
【００８５】
続いて、トピック毎に適切なジャンルを選択する（ステップＳ１０３）。ここで、ジャンルは、コンテンツが放送番組であれば、政治ニュース、社会ニュース、気象情報、お笑い番組、ドラマ等である。
【００８６】
次に、テンプレートを用いて、トピックを識別する情報（トピック識別情報）を作成する（ステップＳ１０４）。ここで、テンプレートとしては、図２（ａ）〜図２（ｅ）に示したテンプレートを用いる。
【００８７】
最後に、トピックの識別情報（トピック識別情報）とコンテンツとをひも付けして記録する（ステップＳ１０５）。つまり、トピック識別情報が付与されたコンテンツが、コンテンツ蓄積部１０５に蓄積される。
【００８８】
本実施の形態では、上記のコンテンツ蓄積処理におけるトピックの分割、ジャンル選択、トピック識別情報の生成は、コンテンツ視聴者が手動で行うものとする。ただし、これらの処理をコンテンツ管理装置内で自動的に行うことも可能である。このコンテンツ管理装置内で、コンテンツ蓄積処理を行う例については、後述する実施の形態において説明する。
【００８９】
次に、上記のコンテンツ蓄積処理によってコンテンツ蓄積部１０５に蓄積されたコンテンツから、ユーザが所望する視聴方法に合わせたコンテンツ再生処理について説明する。
【００９０】
（コンテンツ再生処理）・・・・・図６、図７
図６、図７は、コンテンツ再生処理の流れを示すフローチャートである。ここでは、ユーザが視聴希望しているコンテンツとしてニュース番組を想定して説明する。
【００９１】
まず、図6に示すように、ユーザの視聴履歴を取得する（ステップ２０１）ここでは、ユーザの、前回の視聴までのニュース番組の視聴履歴を取得する。
【００９２】
次に、前回の視聴以降に放送されたニュース番組の数の最大値（Ｎｍａｘ）を取得する（ステップＳ２０２）。
【００９３】
続いて、変数Ｎ＝０とする（ステップＳ２０３）。
【００９４】
そして、変数ＮがＮｍａｘよりも小さいか否かを判定する（ステップＳ２０４）。
【００９５】
ステップＳ２０４において、変数ＮがＮｍａｘよりも小さいとき（Ｙｅｓ）、Ｎ個目の番組内のトピック数の最大値（Ｍｍａｘ）を取得する（ステップＳ２０５）。
【００９６】
次いで、変数Ｍ＝０とする（ステップＳ２０６）。
【００９７】
次に、図７に示すステップＳ２０９に移行し、変数ＭがＭｍａｘよりも小さいか否かを判定する。
【００９８】
ステップＳ２０９において、変数ＭがＭｍａｘよりも小さい場合（Ｙｅｓ）、ステップＳ２１０に移行して、Ｍ個目のトピックと同一内容のトピックがトピック再生順情報に存在しているか否かを判定する（ステップＳ２１０）。ここで、トピック再生順情報とは、前回の視聴以降に放送されたニュース番組のトピックによって作成されるトピックを再生する順番を記載した情報とする。
【００９９】
ステップＳ２１０において、Ｍ個目のトピックと同一内容のトピックがトピック再生順情報に存在していないと判定（Ｎｏ）した場合、ステップＳ２１１に移行して、トピック再生順情報の所定の位置に当該トピックを追加する。そして、ステップＳ２１４に移行して変数Ｍに１を追加し、再び、ステップＳ２０９に移行し、変数ＭがＭｍａｘよりも小さいか否かを判定する。
【０１００】
一方、ステップＳ２１０において、Ｍ個目のトピックと同一内容のトピックがトピック再生順情報に存在していると判定（Ｙｅｓ）した場合、ステップＳ２１２に移行して、該当トピックをＭ個目のトピックで視聴するか否かを判定する。つまり、Ｍ個目のトピックが、トピック再生順情報に含まれているトピックと重複している場合、現在、トピック再生順情報の順番で該当トピックを視聴するか、それとも、該当トピックを、Ｍ個目のトピックで視聴するかを判定する。これは、ユーザによって判定してもよいし、前述のように、「放送時間の１番新しい物」「再生時間が一番長い物」「好みのＣｈ（ex.ある分野に関する視聴を最も多く行うＣｈ）で放送した物」などを選択基準として、どちらのトピックを視聴するのかを自動的に判定してもよい。
【０１０１】
ステップＳ２１２において、該当トピックをＭ個目のトピックで視聴すると判定された場合（Ｙｅｓ）には、ステップＳ２１３に移行して、トピック再生順情報を更新し、ステップＳ２１４に移行する。この場合には、該当トピックを、Ｍ個目のトピックで視聴するように、トピック再生順情報が更新される。
【０１０２】
一方、ステップＳ２１２において、該当トピックを、Ｍ個目のトピックで視聴しないと判定された場合（Ｎｏ）には、ステップＳ２１４に移行する。この場合には、該当トピックを、現時点のトピック再生順情報に記載された順番で視聴することになる。
【０１０３】
ステップＳ２１０〜ステップＳ２１４までの処理は、ステップＳ２０９において、変数ＭがＭｍａｘと同じになるまで繰り返し行われる。
【０１０４】
従って、ステップＳ２０９において、変数ＭがＭｍａｘと同じになれば（Ｎｏ）、図６に示すステップＳ２０７に移行して、変数Ｎを１増やし、ステップＳ２０４に移行する。
【０１０５】
そして、ステップＳ２０４において、変数ＮがＮｍａｘと同じになるまで、上記の処理が繰り返し行われる。
【０１０６】
従って、ステップＳ２０４において、変数ＮがＮｍａｘと同じになれば（Ｎｏ）、すなわち、前回の視聴以降に放送されたニュース番組の全てについてトピックの重複を判定が完了すれば、ステップＳ２０８に移行して、本処理によって更新されたトピック再生順情報に従ってトピックを再生する。
【０１０７】
これにより、ユーザは、前回の視聴以降に放送されたニュース番組についてトピックの重複なしの網羅的視聴を行うことができる。
【０１０８】
上記の視聴処理では、前回の視聴以降に放送されたニュース番組についてトピックの重複判定を行い、トピック再生順情報を作成しているだけなので、当然、トピック再生順情報には、ユーザが視聴済みのトピックも含まれていることもある。
【０１０９】
このため、トピック再生順情報に従ってトピックを視聴した場合、トピックの重複なしに視聴することが可能であるが、既に視聴したトピックについても再度視聴することになる。
【０１１０】
そこで、以下の実施の形態２では、既に視聴されたトピックを除いた未視聴トピックのみからなり、トピックの重複なしのトピックの再生順を決定する例について説明する。
【０１１１】
〔実施の形態２〕
本発明の他の実施の形態について説明すれば以下の通りである。
【０１１２】
本実施の形態２では、トピック再生順決定部として機能する上記コンテンツ選択部１０７が、以前に再生したトピックを記憶しておき、上記トピック重複判定部１０８によって内容が重複していると判定されたトピックのなかから、予め設定した選択基準によって一つのトピックを選択し、選択したトピックが、以前に再生したトピックに含まれているとき、当該トピックを加えずにトピックの再生順を決定する例について説明する。具体的には、以下のようになる。
【０１１３】
図８（ａ）は、昨晩（前回）までに視聴した政治ニュースのトピックの一覧（以前に再生したトピックの情報）を示し、図８（ｂ）は、昨晩（前回）〜今朝（今回）の間に放送された各Ｃｈのトピックの一覧（今回作成したトピック再生順情報）を示している。
【０１１４】
ここで、図８（ａ）に示したトピックＡ、Ｂ、Ｄは、ユーザが既に視聴したトピックであるので、図８（ｂ）に示した各Ｃｈの政治ニュースのトピックから、トピックＡ、Ｂ、Ｄを除いた残りのトピックを未視聴のトピックとする。
【０１１５】
図９は、政治ニュースのなかで今朝（今回）再生するトピックの一覧を示している。つまり、図９は、未視聴のトピック（Ｃｈ１のトピックＣとＣｈ３のトピックＥ）によって作成されたトピック再生順情報を示している。
【０１１６】
ここで、トピックの重複なし網羅的視聴において、未視聴トピックのみの視聴を行うための視聴処理について、図１０及び図１１に示すフローチャートを参照しながら以下に説明する。
【０１１７】
図１０及び図１１において、ステップＳ２０１〜Ｓ２１４については、前記実施の形態１の図６及び図７に示す処理と同じであるので、詳細な説明は省略する。
【０１１８】
本実施の形態では、未視聴トピックの判断処理のためのステップＳ３０１を，ステップＳ２０９とステップＳ２１０との間に挿入している。
【０１１９】
すなわち、図１１に示すステップＳ２０９において、変数ＭがＭｍａｘよりも小さい場合（Ｙｅｓ）、ステップＳ３０１に移行して、Ｍ個目のトピックは未視聴か否かを判定する。具体的には、これまでの視聴してきたトピックの履歴を参照して、Ｍ個目のトピックと同一内容のトピックが視聴履歴に存在していた場合に、視聴済みと判断すればよい。ここで、Ｍ個目のトピックが未視聴でないと判定した場合（Ｎｏ）、ステップＳ２１４に移行して、変数Ｍを１増やす。つまり、Ｍ個目のトピックは既に視聴済みであるので、トピック再生順情報に加えないことになる。
【０１２０】
一方、ステップＳ３０１において、Ｍ個目のトピックは未視聴であると判定した場合（Ｙｅｓ）、ステップＳ２１０に移行し、トピックの重複判定を行う。この場合、Ｍ個目のトピックが未視聴であっても、重複したトピックであれば、再生リストに加えられることはない。
【０１２１】
以上の処理を実行することにより、未視聴トピックのみからなるトピック再生順情報を作成することができる。
【０１２２】
本実施の形態２では、未視聴トピックのみが視聴できるトピック再生順情報を作成しているが、視聴済みのトピックであっても、内容の一部が更新されている可能性がある。以下の実施の形態３では、未視聴トピックと、視聴済みのトピックであって内容が更新されているトピックとでトピックの再生順を決定する例について説明する。
【０１２３】
〔実施の形態３〕
本発明の他の実施の形態について説明すれば以下の通りである。
【０１２４】
本実施の形態３では、トピック再生順決定部として機能する上記コンテンツ選択部１０７が、以前に再生したトピックを記憶しておき、上記トピック重複判定部１０８によって内容が重複していると判定されたトピックのなかから、予め設定した選択基準によって一つのトピックを選択し、選択したトピックが、以前に再生したトピックに含まれているとき、当該トピックの内容が更新されていれば、当該トピックを加え、内容が更新されていなければ、当該トピックを加えずにトピックの再生順を決定する例について説明する。具体的には、以下のようになる。
【０１２５】
図１２（ａ）は、午前１１時のニュース（番組１）の各トピックの情報（識別情報を含む）の一覧（以前に再生したトピックの情報）であり、図１２（ｂ）は、午後７時のニュース（番組２）の各トピックの情報の一覧（今回作成したトピック再生順情報）である。
【０１２６】
ここで、図１２（ａ）に示す午前１１時のニュース（番組１）の新規トピックである「番組１のトピックＡ」と「番組１のトピックＢ」と、図１２（ｂ）に示す午後７時のニュース（番組２）の「番組２のトピックＡ」と「番組２のトピックＢ」とを比較した場合、番組１のトピックＡと番組２のトピックＡとは「何が」「どこで」「何を」「どうした」が同一で「いつ」が異なるため、情報が更新された番組と判定する。
【０１２７】
ここで、ユーザは、図１２（ａ）に示す午前１１時のニュースから取得したトピックＡ、Ｂについて、正午からの昼休み中に、携帯電話等の携帯端末で視聴する。
【０１２８】
次に、図１２（ｂ）に示す午後７時のニュースから取得したトピックＡ、Ｂについて、午後８時以降に帰宅し、ユーザが自宅のテレビで視聴する。このとき、トピックＡ、Ｂのうち、トピックＡが更新済みであるため、トピック再生順情報にリストアップされ、更新されていないトピックＢはトピック再生順情報にリストアップされていない。このため、ユーザは、更新されたトピックＡのみを視聴することになる。
【０１２９】
ここで、トピックの重複なし網羅的視聴において、未視聴トピックに加えて、視聴済みのトピックであって、内容が更新されたトピックの視聴を行うための視聴処理について、図１３及び図１４に示すフローチャートを参照しながら以下に説明する。
【０１３０】
図１３及び図１４において、ステップＳ２０１〜Ｓ２１４については、前記実施の形態１の図６及び図７に示す処理と同じであり、また、ステップＳ３０１については、前記実施の形態２の図１１に示すステップＳ３０１と同じなので、詳細な説明は省略する。
【０１３１】
本実施の形態では、視聴済みであって、内容が更新されたトピックの判断処理のためのステップＳ４０１を、ステップＳ３０１のＮｏの分岐に接続している。
【０１３２】
すなわち、図１４に示すステップＳ２０９において、変数ＭがＭｍａｘよりも小さい場合（Ｙｅｓ）、ステップＳ３０１に移行して、Ｍ個目のトピックは未視聴か否かを判定する。ここで、ステップＳ３０１において、Ｍ個目のトピックは未視聴であると判定した場合（Ｙｅｓ）、ステップＳ２１０に移行し、トピックの重複判定を行う。この場合、Ｍ個目のトピックが未視聴であっても、重複したトピックであれば、再生リストに加えられることはない。
【０１３３】
一方、ステップＳ３０１において、Ｍ個目のトピックが未視聴でないと判定した場合（Ｎｏ）、ステップＳ４０１に移行して、視聴済みトピックの情報が更新されたものか否かを判定する。例えば、図１２（ａ）の番組１のトピックＡと、図１２（ｂ）の番組２のトピックＡとにおいて、「何が」「どこで」「何を」「どうした」が同一で「いつ」が異なる場合、トピックの情報が更新されたと判定する。
【０１３４】
ステップＳ４０１において、視聴済みトピックの情報が更新されたものと判定された場合（Ｙｅｓ）、ステップＳ２１０に移行し、トピックの重複判定を行う。この場合、Ｍ個目のトピックが未視聴であり、視聴済トピックの情報が更新されたものであっても、トピック再生順情報に同一のトピックが存在していれば、トピック再生順情報に加えられることはない。
【０１３５】
一方、ステップＳ４０１において、視聴済みトピックの情報が更新されていないと判定された場合（Ｎｏ）、ステップＳ２１４に移行して、変数Ｍを１増やす。つまり、Ｍ個目のトピックは既に視聴済みであるので、トピック再生順情報に加えないことになる。
【０１３６】
以上の処理を実行することにより、未視聴トピックに、視聴済みのトピックであって、内容が更新されたトピックを加えたトピック再生順情報を作成することができる。
【０１３７】
本実施の形態３では、未視聴トピックに、視聴済みのトピックであって、内容が更新されたトピックを加えたトピックの再生順を決定しているが、更新済みのトピックであっても、更新前のトピックを視聴してユーザが興味が無い場合には、視聴しないように設定するようにしてもよい。以下の実施の形態４において、更新済みのトピックであっても、更新前のトピックを視聴してユーザが興味が無い場合には、視聴しないように設定する例について説明する。
【０１３８】
〔実施の形態４〕
本発明の他の実施の形態について説明すれば以下の通りである。
【０１３９】
本実施の形態４では、本実施の形態３と同様に、未視聴トピックと、視聴済みのトピックであって内容が更新されているトピックとでトピックの再生順を決定するが、作成した再生プレイリストに含まれる更新済みトピックに対して、ユーザが視聴を希望しないトピックについては視聴しない設定を施している。
【０１４０】
すなわち、本実施の形態４では、トピック再生順決定部として機能する上記コンテンツ選択部１０７が、以前に再生したトピックを記憶しておき、上記トピック重複判定部１０８によって内容が重複していると判定されたトピックのなかから、予め設定した選択基準によって一つのトピックを選択し、選択したトピックが、以前に再生したトピックに含まれているとき、当該トピックの内容が更新されていれば、さらに、視聴無効設定がされていないかを確認し、視聴無効設定がされていなければ、当該トピックを加え、視聴無効設定がされていれば、当該トピックを加えずにトピックの再生順を決定する例について説明する。具体的には、以下のようになる。
【０１４１】
図１５（ａ）は、午前１１時のニュース（番組１）の各トピックの情報（識別情報を含む）の一覧（以前に再生したトピックの情報）であり、図１５（ｂ）は、午後７時のニュース（番組２）の各トピックの情報の一覧（今回作成したトピック再生順情報）である。
【０１４２】
ここで、図１５（ａ）に示す午前１１時のニュース（番組１）の新規トピックである「番組１のトピックＡ」と「番組１のトピックＢ」と、図１５（ｂ）に示す午後７時のニュース（番組２）の「番組２のトピックＡ」と「番組２のトピックＢ」とを比較した場合、番組１のトピックＡ、Ｂと番組２のトピックＡ、Ｂは、何れも「何が」「どこで」「何を」「どうした」が同一で「いつ」が異なるため、情報が更新された番組と判定する。
【０１４３】
ここで、ユーザは、図１５（ａ）に示す午前１１時のニュースから取得したトピックＡ、Ｂについて、正午からの昼休み中に、携帯電話等の携帯端末で視聴する。このとき、トピックＡ、Ｂのうち、トピックＢについて、「トピックが更新されても視聴しない」設定（視聴無効設定）を行う。
【０１４４】
「トピックが更新されても視聴しない」設定を行う方法としては、ユーザがメニューから設定してもよい。この場合、視聴しないトピックについては、スキップ再生するように設定することが考えられる。
【０１４５】
また、本実施の形態に係るコンテンツ管理装置１を、音声入力による操作可能な携帯端末に搭載した場合、ユーザが音声により、視聴しているトピックに対して「このトピックはもう見ない」と発言することで、「トピックが更新されても視聴しない」の設定を行うようにしてもよい。
【０１４６】
このように、「トピックが更新されても視聴しない」設定を行った状態で、図１５（ｂ）に示す午後７時のニュースから取得したトピックＡ、Ｂについて、午後８時以降に帰宅し、ユーザが自宅のテレビで視聴する。このとき、トピックＡ、Ｂの両方が更新済みであるため、トピック再生順情報にリストアップされているが、トピックＢについて、「トピックが更新されても視聴しない」設定が行われているので、ユーザは視聴しないで済む。
【０１４７】
ここで、トピックの重複なし網羅的視聴において、未視聴トピックに加えて、視聴済みのトピックであって、内容が更新されたトピックの視聴を行うが、ユーザが視聴無効設定したトピックについては視聴しないようにするための視聴処理について、図１６及び図１７に示すフローチャートを参照しながら以下に説明する。
【０１４８】
図１６及び図１７において、ステップＳ２０１〜Ｓ２１４については、前記実施の形態１の図６及び図７に示す処理と同じであり、また、ステップＳ３０１については、前記実施の形態２の図１１に示すステップＳ３０１と同じであり、さらに、ステップＳ４０１については、前記実施の形態３の図１４に示すステップＳ４０１と同じなので、詳細な説明は省略する。
【０１４９】
本実施の形態では、視聴済みであって、内容が更新されたトピックの判断処理のためのステップＳ４０１に加えて、当該ステップＳ４０１のＹｅｓの分岐に、新たにステップＳ５０１を接続している。
【０１５０】
ステップＳ５０１は、情報が更新されたトピックに対して、視聴しない設定がされているか否かを判定する処理である。
【０１５１】
すなわち、図１７に示すステップＳ２０９において、変数ＭがＭｍａｘよりも小さい場合（Ｙｅｓ）、ステップＳ３０１に移行して、Ｍ個目のトピックは未視聴か否かを判定する。ここで、ステップＳ３０１において、Ｍ個目のトピックは未視聴であると判定した場合（Ｙｅｓ）、ステップＳ２１０に移行し、トピックの重複判定を行う。この場合、Ｍ個目のトピックが未視聴であっても、重複したトピックであれば、トピック再生順情報に加えられることはない。
【０１５２】
一方、ステップＳ３０１において、Ｍ個目のトピックが未視聴でないと判定した場合（Ｎｏ）、ステップＳ４０１に移行して、視聴済みトピックの情報が更新されたものか否かを判定する。例えば、図１５（ａ）の番組１のトピックＡ、Ｂと、図１５（ｂ）の番組２のトピックＡ、Ｂとにおいて、「何が」「どこで」「何を」「どうした」が同一で「いつ」が異なる場合、トピックの情報が更新されたと判定する。
【０１５３】
ステップＳ４０１において、視聴済みトピックの情報が更新されていないと判定された場合（Ｎｏ）、ステップＳ２１４に移行して、変数Ｍを１増やす。つまり、Ｍ個目のトピックは既に視聴済みであるので、トピック再生順情報に加えないことになる。
【０１５４】
一方、ステップＳ４０１において、視聴済みトピックの情報が更新されたものと判定された場合（Ｙｅｓ）、ステップＳ５０１に移行し、更新されたトピックに対して視聴しない設定が有効であるか否かを判定する。具体的には、視聴しないトピック設定のしてあるトピックの一覧を参照して、Ｍ個目のトピックと「何が」「どこで」「何を」「どうした」が同一で「いつ」が異なるトピックが視聴しない一覧に存在していた場合に、視聴しない設定が有効と判断すればよい。
【０１５５】
ステップＳ５０１において、更新されたトピックに対して視聴しない設定が有効であると判定した場合（Ｙｅｓ）、ステップＳ２１４に移行して、変数Ｍを１増やす。つまり、Ｍ個目のトピックは視聴しない設定が有効であるので、トピック再生順情報に加えないことになる。
【０１５６】
一方、ステップＳ５０１において、更新されたトピックに対して視聴しない設定が有効でないと判定した場合（Ｎｏ）、ステップＳ２１０に移行し、トピックの重複判定を行う。この場合、Ｍ個目のトピックが未視聴であり、視聴済トピックの情報が更新されたものであっても、再生リストに同一のトピックが存在していれば、トピック再生順情報に加えられることはない。
【０１５７】
以上の処理を実行することにより、未視聴トピックに、視聴済みのトピックであって、内容が更新されたトピックを加え、さらに、更新済みのトピックに対してユーザによる視聴の有無が設定されたトピックの再生順を決定することができる。
【０１５８】
ここまでの実施の形態では、トピックの重複判定を、同じコンテンツであれば、図２に示すテンプレートをトピック識別情報として行っていたが、同じコンテンツであっても、トピックの重複判定の度合いを調整するようにしてもよい。
【０１５９】
つまり、同じコンテンツであっても、トピック識別情報として、「いつ」、「どこで」、「何が」、「何を」、「どうした」の全ての項目を用いて重複判定を行うのではなく、一部の項目を用いて重複判定を行うようにしてもよい。この例について、以下の実施の形態５で説明する。
【０１６０】
〔実施の形態５〕
本発明の他の実施の形態について説明すれば以下の通りである。
【０１６１】
本実施の形態５では、上記トピック重複判定部１０８が、コンテンツ抽出部として機能するコンテンツ選択部１０７によって抽出された各コンテンツに含まれているトピックのトピック識別情報から、各トピックの内容が重複しているか否かを判定するときの判定基準を、外部入力に応じて変更する例について説明する。具体的には、以下のようになる。
【０１６２】
本実施の形態に係るコンテンツ管理装置１では、同じ種類のコンテンツであっても、トピック識別情報の全ての項目を用いてトピックの重複判定を行う第一重複判定モードと、トピック識別情報の一部の項目を用いてトピックの重複判定を行う第二重複判定モードとが実行できるものとする。すなわち、本実施の形態５では、トピック重複判定部１０８による、第一重複判定モードと第二重複判定モードとでは、トピックの内容が重複しているか否かを判定するときの判定基準が異なる。そして、第一重複判定モードと第二重複判定モードとは、外部入力（ユーザによるモード選択信号）に応じて選択できるようになっている。具体的には、以下のようになる。
【０１６３】
図１８（ａ）〜図１８（ｃ）は、映像ソースが異なる落語コンテンツのトピックを示している。
【０１６４】
ここで、図１８（ａ）〜図１８（ｃ）に示すトピックにおいて、落語家Ａの落語コンテンツを重複なく提示する際に、上記第一重複判定モード、第二重複判定モードの両方を用いた場合の再生プレイリストの作成について説明する。
【０１６５】
上記第一重複判定モードでは、「何が」「何を」「いつ」「どこで」 「どうした」が同一の場合に重複したトピックであると判定する。
【０１６６】
従って、上記第一重複判定モードでは、同じ演目でも日時・場所が違った場合に違うトピックであると判定するので、図１８（ｂ）の「ＤＶＤ１のチャプタＢ」と、図１８（ｃ）の「ＶＯＤ１のチャプタＣ」とが重複していると判定される。
【０１６７】
これにより、再生プレイリストには、図１８（ａ）の「番組１のトピックＡ」と図１８（ｂ）の「ＤＶＤ１のチャプタＢ」とがリストアップされることになる。
【０１６８】
つまり、第一重複判定モードを実行した場合、ユーザは、図１８（ａ）の「番組１のトピックＡ」と図１８（ｂ）の「ＤＶＤ１のチャプタＢ」とを視聴することになる。
【０１６９】
一方、上記第二重複判定モードでは、第一重複判定モードよりもトピック識別情報が少なく、「何が」「何を」 「どうした」が同一の場合に重複したトピックと判定する。
【０１７０】
従って、上記第二重複判定モードでは、同じ演目でも日時・場所が違った場合に違うトピックであると判定するので、図１８（ａ）〜図１８（ｃ）の全てのトピックが重複していると判定される。
【０１７１】
これにより、トピック再生順情報には、図１８（ａ）の「番組１のトピックＡ」のみがリストアップされることになる。
【０１７２】
つまり、第一重複判定モードを実行した場合、ユーザは、図１８（ａ）の「番組１のトピックＡ」のみを視聴することになる。
【０１７３】
このように、重複判定の基準となるトピック識別情報の情報量を変更することにより、同じジャンルのコンテンツであっても、トピック再生順情報にリストアップされるトピック数を変更することができる。つまり、ユーザの好みに応じて、トピック再生順情報にリストアップするトピックを決めることが可能となる。
【０１７４】
図１に示すコンテンツ管理装置１では、コンテンツ蓄積部１０５へのコンテンツの蓄積処理における、トピック分割処理、ジャンル選択、トピック識別情報の付与について手動で装置の外部で行っていたが、この処理を装置が自動的に行うようにしてもよい。以下の実施の形態６では、トピック分割、ジャンル選択、トピック識別情報付与を装置が行う例について説明する。
【０１７５】
〔実施の形態６〕
本発明のさらに他の実施の形態について説明すれば、以下の通りである。
【０１７６】
図１９は、本実施の形態に係るコンテンツ管理装置２の概略構成ブロック図である。
【０１７７】
上記コンテンツ管理装置２は、前記実施の形態１の図１に示したコンテンツ管理装置１と異なるのは、トピック分割、ジャンル選択、トピック識別情報付与を装置として、図２に示すように、トピック分割部１０２ａ、ジャンル選択部１０３ａ、トピック識別情報付与部１０４ａを備えている点である。
【０１７８】
上記トピック分割部１０２ａは、コンテンツ入力部１０１から送られるコンテンツを解析して、トピック単位で分割する。具体的には、番組で別のトピックに移行する際に、特殊な効果音を挟む場合があるので、その音を区切りとして分割したり、放送局から提示された情報を利用して分割したりすればよい。
【０１７９】
上記ジャンル選択部１０３ａは、分割されたトピックの内容から、各トピックに対応するジャンルを選択する。具体的には、放送波に多重されている番組情報のジャンル情報をもとに、分割したトピック内で多く用いられる単語からジャンルを自動選択すればよい。
【０１８０】
上記トピック識別情報付与部１０４ａは、各トピックを識別するためのトピック識別情報を、コンテンツ入力部１０１からコンテンツ蓄積部１０５に蓄積されるコンテンツに対応付けるように付与する。このとき、トピック識別情報付与部１０４ａは、各トピックの内容を解析し、ジャンルに応じたトピック識別情報を、図２（ａ）〜図２（ｅ）に示すようなジャンル別のテンプレートを用いて生成し、対応付けたコンテンツに付与するようになっている。
【０１８１】
以上のトピック分割部１０２ａ、ジャンル選択部１０３ａ、トピック識別情報付与部１０４ａを用いることで、コンテンツ入力部１０１に入力されるコンテンツに対して、トピック識別情報を付与してコンテンツ蓄積部１０５に蓄積することができる。
【０１８２】
以上の各実施の形態によれば、様々なコンテンツの再生方法を実現することができる。
【０１８３】
例えば、時間帯や再生場所に応じて連続再生するコンテンツを変えることが考えられる。
【０１８４】
（１）朝時間向け連続再生モード（ex.朝の出社前の忙しい時間帯向け）
この場合には、重複なしの網羅的視聴を行う際に、重複しているトピックの中から１つのコンテンツを選択する方法として、再生時間が一番短いコンテンツを選択し、短時間で多くのトピックを視聴することを可能とする。
【０１８５】
（２）日中向け連続再生モード（ex.ボーっとしている日中）
この場合には、重複なしの網羅的視聴を行う際に、重複しているトピックの中から１つのコンテンツを選択する方法として、事前に設定してある刺激的なキーワードを多く含むコンテンツを選択し、脳を活性化して惰眠を貪ることを防止する。
【０１８６】
（３）風呂場での連続再生モード（ex.風呂に入ってリラックスしている状態）
この場合には、重複なしの網羅的視聴を行う際に、重複しているトピックの中から１つのコンテンツを選択する方法として、人間の声が発せられた区間の中で文字数の少ない＝ゆっくりとしたしゃべりのコンテンツを選択し、よりリラックスすることを可能とする。
【０１８７】
なお、上記のように特定の時間や場所で再生する際に、連続再生モードを自動的に再生するようにしてもよいし、特定の時間や場所にかかわらずに、ユーザが連続再生モードを逐次選択するか、あるいは事前設定しておき、そのモードで連続再生するようにしてもよい。
【０１８８】
また、同一トピックを扱った各種コンテンツの再生を実現することが考えられる。
【０１８９】
（１）同一トピックを扱ったあらゆるチャネルのあらゆる番組を連続視聴し、そのトピックに関する色々な考え方や取材の切り口を知ることを可能し、また自分の好みに合った番組を知ることも可能とする。
【０１９０】
（２）ある特定番組で同一トピックを扱ったシーンを最初に放映された時間から順番に再生（もしくは時間的に遡る順番に再生）し、そのトピックの時間経過をわかりやすくする。
【０１９１】
＜電子機器＞
上記構成のコンテンツ管理装置１、２は、ＢＤレコーダーや、録画機能付きのテレビなどの電子機器に搭載することができる。
【０１９２】
＜コンテンツ再生装置＞
上記構成のコンテンツ管理装置１、２は、上述したようにコンテンツ再生装置と接続し、コンテンツ管理装置によって決定されたトピックの再生順に従ってコンテンツ再生装置がコンテンツを再生するように構成してもよい。このコンテンツ管理装置とコンテンツ再生装置とは、無線や有線などで直接つながっていてもよいし、ネットワークを介して接続してもよい。
【０１９３】
＜方法＞
本発明は、以下の方法によっても実現できる。
【０１９４】
すなわち、本発明のコンテンツ管理方法は、トピック単位に分割され、各トピックの内容を識別するためのトピック識別情報が付与されたコンテンツを複数蓄積したコンテンツ蓄積部から、任意の抽出基準によりコンテンツを複数抽出するコンテンツ抽出手順と、上記コンテンツ抽出手順において抽出された各コンテンツに含まれているトピックから再生すべきトピックの再生順を決定するトピック再生順決定手順と、上記コンテンツ抽出手順において抽出された各コンテンツに含まれているトピックのトピック識別情報から、各トピックの内容が重複しているか否かを判定するトピック重複判定手順とを含み、上記トピック再生順決定手順は、上記トピック重複判定手順において内容が重複していると判定されたトピックのなかから、予め設定した選択基準によって一つのトピックを選択し、選択したトピックを加えたトピックの再生順を決定することを特徴している。
【０１９５】
＜プログラム・記録媒体＞
上記コンテンツ管理装置１、２が備える各部は、ハードウェアロジックによって構成すればよい。又は、次のように、ＣＰＵ（Central Processing Unit）を用いてソフトウェアによって実現してもよい。
【０１９６】
すなわち、コンテンツ管理装置１、２は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１９７】
そして、本発明の目的は、コンテンツ管理装置１、２を実現するための電子書籍表示プログラムは、プログラムメモリに固定的に担持されている場合に限らず、上記プログラムのプログラムコード（実行形式プログラム、中間コードプログラム、又は、ソースプログラム）を記録した記録媒体をコンテンツ管理装置１、２に供給し、が上記記録媒体に記録されている上記プログラムコードを読み出して実行することによっても、達成可能である。
【０１９８】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などとすることができる。
【０１９９】
また、コンテンツ管理装置１、２を通信ネットワークと接続可能に構成しても、本発明の目的を達成できる。この場合、上記のプログラムコードを、通信ネットワークを介して供給する。この通信ネットワークはコンテンツ管理装置１、２にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２００】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２０１】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０２】
本発明は、コンテンツの蓄積及び再生を行う装置全般、例えば放送番組の録画再生装置や、録画再生機能付きのテレビ等に好適に利用することができる。
【符号の説明】
【０２０３】
１  コンテンツ管理装置
２  コンテンツ管理装置
１０１  コンテンツ入力部
１０２  トピック識別情報入力部
１０２ａ  トピック分割部
１０３ａ  ジャンル選択部
１０４ａ  トピック識別情報付与部
１０５  コンテンツ蓄積部
１０６  コンテンツ選択方法決定部
１０７  コンテンツ選択部（コンテンツ抽出部、トピック再生順決定部）
１０８  トピック重複判定部
【図１】
2014017677.tif 000003
【図２】
2014017677.tif 000004
【図３】
2014017677.tif 000005
【図４】
2014017677.tif 000006
【図５】
2014017677.tif 000007
【図６】
2014017677.tif 000008
【図７】
2014017677.tif 000009
【図８】
2014017677.tif 000010
【図９】
2014017677.tif 000011
【図１０】
2014017677.tif 000012
【図１１】
2014017677.tif 000013
【図１２】
2014017677.tif 000014
【図１３】
2014017677.tif 000015
【図１４】
2014017677.tif 000016
【図１５】
2014017677.tif 000017
【図１６】
2014017677.tif 000018
【図１７】
2014017677.tif 000019
【図１８】
2014017677.tif 000020
【図１９】
2014017677.tif 000021
【図２０】
2014017677.tif 000022